(57)【要約】      （修正有）【課題】照度センサーを応用し、環境光源に変化が発生すると作動して、イメージを撮影すると共に、イメージを表示する、電子式扉覗き穴ビューアを提供する。【解決手段】イメージの撮影に用いるイメージキャプチャユニット１２２と、イメージキャプチャユニット１２２に電気的に接続された特定用途向け集積回路を含み、前記特定用途向け集積回路によりイメージキャプチャユニット１２２を制御する主回路板１２０と、主回路板１２０に電気的に接続され、前記イメージを表示するために用いるフラットパネルディスプレイユニット１２１と、主回路板１２０に電気的に接続され、環境光源の変化を検出する照度センサー１２４を含み、環境光源に変化が発生すると作動して、イメージキャプチャユニット１２２でイメージを撮影し、このイメージをフラットパネルディスプレイユニット１２１に表示させる。【選択図】図１Ｄ
0003190742.tif 000002
【実用新案登録請求の範囲】
【請求項１】
電子式扉覗き穴ビューアであって、
イメージの撮影に用いるイメージキャプチャユニットと、
前記イメージキャプチャユニットに電気的に接続された特定用途向け集積回路を含み、前記特定用途向け集積回路によりイメージキャプチャユニットを制御して前記イメージを撮影させる主回路板と、
前記主回路板に電気的に接続され、前記イメージキャプチャユニットが撮影したイメージを表示するために用いるフラットパネルディスプレイユニットと、
前記主回路板に電気的に接続され、環境光源の変化を検出し、環境光源に変化が発生すると、前記電子式扉覗き穴ビューアを作動させ、前記特定用途向け集積回路により前記イメージキャプチャユニットを制御して前記イメージを撮影させ、前記イメージを前記フラットパネルディスプレイユニットに表示させるために用いる照度センサーを含むことを特徴とする、電子式扉覗き穴ビューア。
【請求項２】
前記イメージが、静態イメージまたは動態イメージのいずれかであることを特徴とする、請求項１に記載の電子式扉覗き穴ビューア。
【請求項３】
前記イメージがメモリユニットに保存されることを特徴とする、請求項２に記載の電子式扉覗き穴ビューア。
【請求項４】
前記メモリユニットが、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、コンパクトフラッシュカード（Ｃｏｍｐａｃｔ  Ｆｌａｓｈ  Ｃａｒｄ、ＣＦ  ｃａｒｄ）のいずれかであることを特徴とする、請求項３に記載の電子式扉覗き穴ビューア。
【請求項５】
環境光源の変化に基づき作動され、一定時間が経過すると、自動的にスリープ状態に入り、前記フラットパネルディスプレイユニットの表示がオフになることを特徴とする、請求項１に記載の電子式扉覗き穴ビューア。
【請求項６】
環境光源の変化に基づき、前記フラットパネルディスプレイユニットのバックライト輝度が調整されて、前記フラットパネルディスプレイユニットの消費電力量を抑制することを特徴とする、請求項１に記載の電子式扉覗き穴ビューア。
【請求項７】
前記フラットパネルディスプレイユニットが、液晶ディスプレイモニター、発光ダイオードをバックライトとして利用した液晶ディスプレイモニター、タッチ制御ディスプレイモニターのいずれかであることを特徴とする、請求項１に記載の電子式扉覗き穴ビューア。
【請求項８】
無線伝送により、前記フラットパネルディスプレイユニット上に表示されたイメージがリモートの別のディスプレイを備えた電子装置に伝送されることを特徴とする、請求項１に記載の電子式扉覗き穴ビューア。
【請求項９】
前記電子装置が、携帯電話、スマートフォン、ノートパソコン、タブレット、デジタルフォトフレーム、監視装置モニターのいずれかであることを特徴とする、請求項８に記載の電子式扉覗き穴ビューア。
【請求項１０】
有線伝送により、前記フラットパネルディスプレイユニット上に表示されたイメージがリモートの別のディスプレイを備えた電子装置に伝送されることを特徴とする、請求項１に記載の電子式扉覗き穴ビューア。
【請求項１１】
前記電子装置が、携帯電話、スマートフォン、ノートパソコン、タブレット、デジタルフォトフレーム、監視装置モニターのいずれかであることを特徴とする、請求項１０に記載の電子式扉覗き穴ビューア。
【請求項１２】
電子式扉覗き穴ビューアであって、
イメージの撮影に用いるイメージキャプチャユニットと、
前記イメージキャプチャユニットに電気的に接続された特定用途向け集積回路を含み、前記特定用途向け集積回路によりイメージキャプチャユニットを制御して前記イメージを撮影させる主回路板と、
前記主回路板に電気的に接続され、前記イメージキャプチャユニットが撮影したイメージを表示するために用いるフラットパネルディスプレイユニットと、
前記主回路板に電気的に接続され、環境光源の変化を検出し、環境光源に変化が発生すると、前記特定用途向け集積回路により前記フラットパネルディスプレイユニットのバックライト輝度を調整し、前記フラットパネルディスプレイユニットの消費電力量を抑制するために用いる照度センサーを含むことを特徴とする、電子式扉覗き穴ビューア。
【請求項１３】
前記イメージが、静態イメージまたは動態イメージのいずれかであることを特徴とする、請求項１２に記載の電子式扉覗き穴ビューア。
【請求項１４】
前記イメージがメモリユニットに保存されることを特徴とする、請求項１３に記載の電子式扉覗き穴ビューア。
【請求項１５】
前記メモリユニットが、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、コンパクトフラッシュカード（Ｃｏｍｐａｃｔ  Ｆｌａｓｈ  Ｃａｒｄ、ＣＦ  ｃａｒｄ）のいずれかであることを特徴とする、請求項１４に記載の電子式扉覗き穴ビューア。
【請求項１６】
環境光源の変化に基づき作動され、一定時間が経過すると、自動的にスリープ状態に入り、前記フラットパネルディスプレイユニットの表示がオフになることを特徴とする、請求項１２に記載の電子式扉覗き穴ビューア。
【請求項１７】
前記フラットパネルディスプレイユニットが、液晶ディスプレイモニター、発光ダイオードをバックライトとして利用した液晶ディスプレイモニター、タッチ制御ディスプレイモニターのいずれかであることを特徴とする、請求項１２に記載の電子式扉覗き穴ビューア。
【請求項１８】
無線伝送により、前記フラットパネルディスプレイユニット上に表示されたイメージがリモートの別のディスプレイを備えた電子装置に伝送されることを特徴とする、請求項１２に記載の電子式扉覗き穴ビューア。
【請求項１９】
前記電子装置が、携帯電話、スマートフォン、ノートパソコン、タブレット、デジタルフォトフレーム、監視装置モニターのいずれかであることを特徴とする、請求項１８に記載の電子式扉覗き穴ビューア。
【請求項２０】
有線伝送により、前記フラットパネルディスプレイユニット上に表示されたイメージがリモートの別のディスプレイを備えた電子装置に伝送されることを特徴とする、請求項１２に記載の電子式扉覗き穴ビューア。
【請求項２１】
前記電子装置が、携帯電話、スマートフォン、ノートパソコン、タブレット、デジタルフォトフレーム、監視装置モニターのいずれかであることを特徴とする、請求項２０に記載の電子式扉覗き穴ビューア。
【請求項２２】
電子式扉覗き穴ビューアであって、
特定用途向け集積回路を含む主回路板と、
前記主回路板に電気的に接続され、かつ前記主回路板上に固定されたフラットパネルディスプレイユニットと、
前記主回路板に接続され、かつ前記主回路板上に固定されたイメージキャプチャユニットと、
前記主回路板に電気的に接続され、かつ前記主回路板上に固定された回路板と、
前記回路板に電気的に接続され、かつ前記回路板上に固定され、環境光源の変化を検出し、環境光源に変化が発生すると、前記電子式扉覗き穴ビューアを作動させ、前記特定用途向け集積回路により前記イメージキャプチャユニットを制御して前記イメージを撮影させ、前記イメージを前記フラットパネルディスプレイユニットに表示させるために用いる照度センサーと、
ハウジングと、
扉覗き穴ビューア固定部材と、
覗き穴固定部材と、
レンズ固定部材を含み、
前記ハウジングが、ハウジング前面カバー、ハウジング背面カバー、蓋板を含み、前記ハウジング前面カバーと前記ハウジング背面カバーで前記ハウジングが組成され、かつ前記ハウジング前面カバーと前記ハウジング背面カバーの内部に内部空間が形成され、前記主回路板、前記フラットパネルディスプレイユニット、前記イメージキャプチャユニット、前記照度センサー、前記回路板が前記内部空間に配置され、
前記レンズ固定部材にレンズが固定され、前記レンズ固定部材が円柱状部材を備え、前記円柱状部材と前記レンズ固定部材が扉の外側に嵌置され、前記扉覗き穴ビューア固定部材が孔部を備え、前記覗き穴固定部材が中空管状物であり、扉が孔部を備え、前記円柱状部材が中空管状物であって、前記レンズが扉の外側の光線を集中させて、前記ハウジング内部の前記イメージキャプチャユニット及び前記照度センサーに到達させることを特徴とする、電子式扉覗き穴ビューア。
【請求項２３】
前記イメージが、静態イメージまたは動態イメージのいずれかであることを特徴とする、請求項２２に記載の電子式扉覗き穴ビューア。
【請求項２４】
環境光源の変化に基づき作動され、一定時間が経過すると、自動的にスリープ状態に入り、前記フラットパネルディスプレイユニットの表示がオフになることを特徴とする、請求項２２に記載の電子式扉覗き穴ビューア。
【請求項２５】
環境光源の変化に基づき、前記フラットパネルディスプレイユニットのバックライト輝度を調整し、前記フラットパネルディスプレイユニットの消費電力量を抑制することを特徴とする、請求項２２に記載の電子式扉覗き穴ビューア。
【請求項２６】
前記フラットパネルディスプレイユニットが、液晶ディスプレイモニター、発光ダイオードをバックライトとして利用した液晶ディスプレイモニター、タッチ制御ディスプレイモニターのいずれかであることを特徴とする、請求項２２に記載の電子式扉覗き穴ビューア。
【請求項２７】
無線伝送により、前記フラットパネルディスプレイユニット上に表示されたイメージがリモートの別のディスプレイを備えた電子装置に伝送されることを特徴とする、請求項２２に記載の電子式扉覗き穴ビューア。
【請求項２８】
前記電子装置が、携帯電話、スマートフォン、ノートパソコン、タブレット、デジタルフォトフレーム、監視装置モニターのいずれかであることを特徴とする、請求項２７に記載の電子式扉覗き穴ビューア。
【請求項２９】
有線伝送により、前記フラットパネルディスプレイユニット上に表示されたイメージがリモートの別のディスプレイを備えた電子装置に伝送されることを特徴とする、請求項２２に記載の電子式扉覗き穴ビューア。
【請求項３０】
前記電子装置が、携帯電話、スマートフォン、ノートパソコン、タブレット、デジタルフォトフレーム、監視装置モニターのいずれかであることを特徴とする、請求項２９に記載の電子式扉覗き穴ビューア。
【請求項３１】
電子式扉覗き穴ビューアであって、
特定用途向け集積回路を含む主回路板と、
前記主回路板に電気的に接続され、かつ前記主回路板上に固定されたフラットパネルディスプレイユニットと、
ハウジングと、
扉覗き穴ビューア固定部材と、
覗き穴固定部材と、
カメラ固定部材を含み、
前記ハウジングが、ハウジング前面カバー、ハウジング背面カバー、蓋板を含み、前記ハウジング前面カバーと前記ハウジング背面カバーで前記ハウジングが組成され、かつ前記ハウジング前面カバーと前記ハウジング背面カバーの内部に内部空間が形成され、前記主回路板と前記フラットパネルディスプレイユニットが前記内部空間に配置され、
前記カメラ固定部材が、
ケーブルと、
前記ケーブルを介して前記主回路板に電気的に接続されたレンズ回路板と、
前記レンズ回路板に接続され、かつ前記レンズ回路板上に固定されたイメージキャプチャユニットと、
前記レンズ回路板上に固定され、かつ前記ケーブルを介して前記主回路板に電気的に接続された回路板と、
前記回路板上に設置され、かつ前記レンズ回路板に電気的に接続され、環境光源の変化を検出し、環境光源に変化が発生すると、前記電子式扉覗き穴ビューアを作動させ、前記特定用途向け集積回路により前記イメージキャプチャユニットを制御して前記イメージを撮影させ、前記イメージを前記フラットパネルディスプレイユニットに表示させるために用いる照度センサーを含み、前記カメラ固定部材が円柱状部材を備え、前記円柱状部材と前記カメラ固定部材が扉の外側に嵌置され、前記扉覗き穴ビューア固定部材が孔部を備え、前記覗き穴固定部材が中空管状物であり、扉が孔部を備え、前記円柱状部材が中空管状物であって、前記ケーブルを前記ハウジング前面カバーと前記ハウジング背面カバー内に進入させ、前記イメージキャプチャユニットが撮影したイメージ及び前記照度センサーが検出した前記光線変化信号が前記ケーブルにより前記主回路板に送られ、前記主回路板からの制御信号も前記ケーブルにより前記イメージキャプチャユニット及び前記照度センサーに送られることを特徴とする、電子式扉覗き穴ビューア。
【請求項３２】
前記イメージが、静態イメージまたは動態イメージのいずれかであることを特徴とする、請求項３１に記載の電子式扉覗き穴ビューア。
【請求項３３】
環境光源の変化に基づき作動され、一定時間が経過すると、自動的にスリープ状態に入り、前記フラットパネルディスプレイユニットの表示がオフになることを特徴とする、請求項３１に記載の電子式扉覗き穴ビューア。
【請求項３４】
環境光源の変化に基づき、前記フラットパネルディスプレイユニットのバックライト輝度を調整し、前記フラットパネルディスプレイユニットの消費電力量を抑制することを特徴とする、請求項３１に記載の電子式扉覗き穴ビューア。
【請求項３５】
前記フラットパネルディスプレイユニットが、液晶ディスプレイモニター、発光ダイオードをバックライトとして利用した液晶ディスプレイモニター、タッチ制御ディスプレイモニターのいずれかであることを特徴とする、請求項３１に記載の電子式扉覗き穴ビューア。
【請求項３６】
無線伝送により、前記フラットパネルディスプレイユニット上に表示されたイメージがリモートの別のディスプレイを備えた電子装置に伝送されることを特徴とする、請求項３１に記載の電子式扉覗き穴ビューア。
【請求項３７】
前記電子装置が、携帯電話、スマートフォン、ノートパソコン、タブレット、デジタルフォトフレーム、監視装置モニターのいずれかであることを特徴とする、請求項３６に記載の電子式扉覗き穴ビューア。
【請求項３８】
有線伝送により、前記フラットパネルディスプレイユニット上に表示されたイメージがリモートの別のディスプレイを備えた電子装置に伝送されることを特徴とする、請求項３１に記載の電子式扉覗き穴ビューア。
【請求項３９】
前記電子装置が、携帯電話、スマートフォン、ノートパソコン、タブレット、デジタルフォトフレーム、監視装置モニターのいずれかであることを特徴とする、請求項３８に記載の電子式扉覗き穴ビューア。
【考案の詳細な説明】
【技術分野】
【０００１】
本考案は、照度センサー(Ａｍｂｉｅｎｔ  Ｌｉｇｈｔ  Ｓｅｎｓｏｒ)を応用した電子式扉覗き穴ビューアに関する。
【背景技術】
【０００２】
現在、家庭用のビデオ監視装置（Ｒｅｓｉｄｅｎｔｉａｌ  Ｖｉｄｅｏ  Ｓｕｒｖｅｉｌｌａｎｃｅ  Ｄｅｖｉｃｅ）またはデジタル式扉覗き穴ビューア（Ｅｌｅｃｔｒｏｎｉｃ  Ｖｉｅｗｅｒ  ｆｏｒ  Ｐｅｅｐｈｏｌｅ）で使用されているモーションセンサー（ｍｏｔｉｏｎ  ｓｅｎｓｏｒ）技術は、焦電型赤外線センサー（Ｐｙｒｏｅｌｅｃｔｒｉｃ  Ｉｎｆｒａｒｅｄ  Ｒａｄｉａｌ  （ＰＩＲ）  Ｓｅｎｓｏｒ）、近接センサー(Ｐｒｏｘｉｍｉｔｙ  Ｓｅｎｓｏｒ)、超音波センサー（Ｕｌｔｒａｓｏｎｉｃ  Ｓｅｎｓｏｒ）またはカメラ（ｃａｍｅｒａ）の撮影機能を利用し、カメラが異なる時間点で撮影したイメージの差異分析比較に基づいて物体の移動があるか否かを判断し、カメラをモーションセンサー（ｍｏｔｉｏｎ  ｓｅｎｓｏｒ）として用いるものがほとんどである。
【０００３】
焦電型赤外線センサー（Ｐｙｒｏｅｌｅｃｔｒｉｃ  Ｉｎｆｒａｒｅｄ  Ｒａｄｉａｌ  （ＰＩＲ）  Ｓｅｎｓｏｒ）は、人体温度と周囲環境温度が発生する電荷現象の変化を利用して検出を行うものであって、その基本原理は焦電効果である。即ち、部材が熱を受けると、熱を受けた面と熱を受けていない面の両端で正負の相反する電荷の集中が発生する。このとき、部材両端に並列接続された抵抗に電流が流れ、これが１つの電圧信号に相当する。比較した電圧がある値より高いとき、人体の接近の有無が分かり、防犯警報、来客用電動扉、非接触スイッチ、火災報知機等によく利用される。しかし、低速の物体と熱源が隔離された材質に対しては検出率が大幅に低下し、嵌込み装置の信頼性低下につながる。また、焦電型赤外線センサーの検知距離は１〜２メートルで距離が近すぎ、かつ検知点が少なすぎるため、一般的には、凸レンズを利用して光線を集中させ、比較的遠くの人体の赤外線エネルギーを焦電型赤外線センサーの検知点上に集中させることで検知距離を大幅に増加させている。さらに、凸レンズを集合させて１つのレンズアレイ(Ｌｅｎｓ Ａｒｒａｙｓ)を形成することで検知点をより多く増加することができる。レンズの材質については、人体が発する赤外線を円滑に通過させることができなければならず、誤動作を回避するため、可視光の遮断性に優れた高密度ポリエチレン（ｐｏｌｙｅｔｈｙｌｅｎｅ、ＰＥ）を選択することで、多くの光線の干渉を回避し、誤動作を減少することができる。
【０００４】
現在、多く使用されているのはフレネルレンズであり、フレネルレンズには屈折式と反射式の２種類の形式がある。フレネルレンズの作用は２つあり、１つは焦電型赤外線センサー上で焦電赤外線信号を屈折（反射）するフォーカス作用で、もう１つの作用は探測範囲内をいくつかの明るい区域と暗い区域に区分し、探測範囲に入った移動物体に温度変化の形式により焦電型赤外線センサー上で焦電赤外線信号の変化を生じさせ、それにより焦電型赤外線センサーが変化する電気信号を生成することができる。
【０００５】
以上の説明によって、受動式焦電型赤外線センサーには次のような欠点があることがわかる。
１、信号振幅が小さく、各種熱源、光源の干渉を受けやすい。
２、人体の赤外線放射は遮られやすいため、受動式焦電型赤外線センサーが受け取る赤外線の透過性が悪い。
３、電波放射の干渉を受けやすい。
４、環境温度と人体温度が接近していると、探測と敏感度が明らかに低下し、短時間失効状態を引き起こすことがある。
５、受動式焦電型赤外線センサーの主要な検出動作方向は横方向の動作であり、径方向に移動する物体に対する検出能力が比較的劣る。
このため、受動式赤外線センサーは屋内の封鎖された空間での使用に適用できるのみであり、例えば一般的な屋内の防犯に常用される赤外線センサーがこれに当たる。
屋外の温度差は気候によって変化が大きく、例えば道路の温度、自動車の温度、雨天、風の強い日等の外在要因はいずれも受動式赤外線センサーの誤報を引き起こす可能性がある。さらに、赤外線がガラスを透過するとき、光学密度の損失が生じる特性があり、ビデオ監視装置（Ｒｅｓｉｄｅｎｔｉａｌ  Ｖｉｄｅｏ  Ｓｕｒｖｅｉｌｌａｎｃｅ  Ｄｅｖｉｃｅ）またはデジタル式扉覗き穴ビューア（Ｅｌｅｃｔｒｏｎｉｃ  Ｖｉｅｗｅｒ  ｆｏｒ  Ｐｅｅｐｈｏｌｅ）に別の一層のガラス扉があると、受動式焦電型赤外線センサーの機能が影響を受ける。
【０００６】
近接センシング(ｐｒｏｘｉｍｉｔｙ  ｓｅｎｓｉｎｇ)は赤外線信号のキャプチャと処理を基礎として、一般に赤外線発光ダイオード(Ｌｉｇｈｔ  Ｅｍｉｔｔｉｎｇ  Ｄｉｏｄｅ、ＬＥＤ)と光学センサーの２つの部分で光学フロントエンドを構成している。発光ダイオードが検出する物体に対して赤外線信号を発射し、信号の一部が反射されて戻ってきた後、赤外線相補性金属酸化膜半導体（Ｃｏｍｐｌｅｍｅｎｔａｒｙ  Ｍｅｔａｌ−Ｏｘｉｄｅ− Ｓｅｍｉｃｏｎｄｕｃｔｏｒ、ＣＭＯＳ）光センサーで検出を行う。近隣の検出ルート内で物体の存在が検出されないとき、近接センサーは反射して戻ってくる赤外線信号をキャプチャすることができない。反対に、物体が検出できる距離にあることを検出すると、近接センサーは反射して戻ってくる赤外線信号をキャプチャする。近接読み取り数値とキャプチャした赤外線光信号の強度は線形比例し、距離の平方と反比例を成す。チップ上の信号調節とアナログデジタル変換を経た後、デジタル化された赤外線信号がマイクロプロセッサまたはマイクロコントローラ（ＭＣＵ）を通して後続処理され、各種異なる近接センシング用途に応用可能となる。
【０００７】
典型的な赤外線近接センサーシステムは、光学フロントエンド、アナログミックスドシグナル処理回路、一定の機械構造から構成される。高効率の設計を実装するためには、近接センシングの基本原理、回路構築モジュール、機械設計、近接センシング演算法、典型的な近接特性を考慮する必要がある。機械部分の設計は通常、例えば携帯電話、タブレット、ノートパソコン、各種コンシューマ電子製品など、異なるアプリケーションプラットフォームのつりあいに基づいた設計上のトレードオフが必要となる。設計上のトレードオフには、部材の選択、配置寸法、ガラスレンズの特性、光学設計、アプリケーションプログラムの演算法、ソフトウェア実装等が含まれる。
【０００８】
近接センサーシステムは、接近しているまたは離れていく物体を検出することができ、マイクロプロセッサまたはマイクロコントローラ（ＭＣＵ）により複雑な制御と調整の決定を行わせ、システムのエネルギー効率を一層改善し、さまざまなよりユーザーフレンドリーな応用を実現することが可能となる。例えば、ユーザーが携帯電話を耳に近づけて電話を受けていることを携帯電話が知ることができれば、マイクロコントローラ（ＭＣＵ）がディスプレイモニター、キーボード、タッチ制御スクリーンなどアイドル状態のサブシステムをオフにして、電源を節約すると同時にユーザーがうっかりその他ボタンに触れてしまうことがないようにすることができる。
【０００９】
このため、ビデオ監視装置（Ｒｅｓｉｄｅｎｔｉａｌ  Ｖｉｄｅｏ  Ｓｕｒｖｅｉｌｌａｎｃｅ  Ｄｅｖｉｃｅ）またはデジタル式扉覗き穴ビューア（Ｅｌｅｃｔｒｏｎｉｃ  Ｖｉｅｗｅｒ  ｆｏｒ  Ｐｅｅｐｈｏｌｅ）に近接センサーを運用するときは、近接センシングの基本原理、回路構築モジュール、機械設計、赤外線発光ダイオードの選択、部材配置寸法、ガラスウィンドウの寸法と配置、近接センサーシステムの演算法、典型的な近接測定を考慮し、さらに、赤外線がガラスを通過するとき、光学密度の損失が生じる特性に注意する必要がある。例えば、別の一層のガラス扉がビデオ監視装置またはデジタル式扉覗き穴ビューアと検出物体の間にあると、受動式焦電型赤外線センサーの機能に影響する。
【００１０】
赤外線センサーの欠点を補完するために、従来は、超音波センサー（Ｕｌｔｒａｓｏｎｉｃ  Ｓｅｎｓｏｒ）が温度及び検出物体の移動速度の影響を受けないという特性を利用して全体の検出率を高めている。超音波センサー（Ｕｌｔｒａｓｏｎｉｃ  Ｓｅｎｓｏｒ）は超音波発波器、受波器、制御回路から構成される。超音波センサーがトリガーされると、一連の４０ｋＨｚの音波を発信し、かつ超音波センサーから最も近い物体から戻る音波を受信する。超音波の周波数は非常に高いため、人類の耳で超音波の音を聞くことはできない。音の空気中における伝播速度は約毎秒３４０メートルであり、伝播速度は温度の影響を受け、温度が高いほど伝播速度が速くなる。超音波の利点は、例えば光線不足または強烈な光線がある場所、及び埃が多い環境などの過酷な環境でも使用できることであるが、欠点はコストが比較的高く、かつ原理の違いにより、その検出範囲が赤外線センサーほど大きくない点である。
【００１１】
ビデオ監視装置またはデジタル式扉覗き穴ビューアに超音波センサーを適用すると、別の一層のガラス扉がビデオ監視装置またはデジタル式扉覗き穴ビューアと検出物体の間にある場合、超音波センサーの機能が影響を受ける。
【考案の概要】
【考案が解決しようとする課題】
【００１２】
本考案が解決しようとする課題は、環境光源の変化を検出するために用いる照度センサーを応用し、環境光源に変化が発生すると作動し、電子式扉覗き穴ビューアの特定用途向け集積回路がイメージキャプチャユニットを制御してイメージを撮影させ、このイメージをフラットパネルディスプレイユニットに表示する、電子式扉覗き穴ビューアを提供することにある。
【００１３】
本考案の第二の課題は、環境光源の変化を検出するために用いる照度センサーを応用し、環境光源に変化が発生すると、電子式扉覗き穴ビューアが作動し、電子式扉覗き穴ビューアの特定用途向け集積回路が前記電子式扉覗き穴ビューアのイメージキャプチャユニットを制御してイメージを撮影させ、このイメージをフラットパネルディスプレイユニットに表示し、電子式扉覗き穴ビューアは環境光源の変化に基づいて作動されてから一定時間が経過すると、自動的にスリープ状態になり、フラットパネルディスプレイユニットの表示がオフになってフラットパネルディスプレイユニットの消費電力量を抑制する、電子式扉覗き穴ビューアを提供することにある。
【００１４】
本考案の第三の課題は、環境光源の変化を検出するために用いる照度センサーを応用し、環境光源に変化が発生すると、前記フラットパネルディスプレイユニットのバックライト輝度を最適な輝度に調整し、フラットパネルディスプレイユニットの消費電力量を抑制する、電子式扉覗き穴ビューアを提供することにある。
【００１５】
本考案の第四の課題は、環境光源の変化を検出するために用いる照度センサーを応用し、環境光源に変化が発生すると、前記電子式扉覗き穴ビューアが作動し、特定用途向け集積回路が前記電子式扉覗き穴ビューアのイメージキャプチャユニットを制御してイメージを撮影させ、かつ前記イメージを前記電子式扉覗き穴ビューア内に保存する、電子式扉覗き穴ビューアを提供することにある。
【課題を解決するための手段】
【００１６】
本考案の電子式扉覗き穴ビューアは、イメージの撮影に用いるイメージキャプチャユニットと、前記イメージキャプチャユニットに電気的に接続された特定用途向け集積回路を含み、前記特定用途向け集積回路によりイメージキャプチャユニットを制御して前記イメージを撮影させる主回路板と、前記主回路板に電気的に接続され、前記イメージキャプチャユニットが撮影したイメージを表示するために用いるフラットパネルディスプレイユニットと、前記主回路板に電気的に接続され、環境光源の変化を検出する照度センサーとを含み、環境光源に変化が発生すると、前記電子式扉覗き穴ビューアが作動し、前記特定用途向け集積回路により前記イメージキャプチャユニットを制御して前記イメージを撮影させ、前記イメージを前記フラットパネルディスプレイユニットに表示する。
【図面の簡単な説明】
【００１７】
【図１Ａ】本考案の実施例１を示す電子式扉覗き穴ビューア及び扉の内側から見た分解斜視図である。
【図１Ｂ】本考案の実施例１を示す電子式扉覗き穴ビューア及び扉の外側から見た分解斜視図である。
【図１Ｃ】本考案実施例１を示す電子式扉覗き穴ビューアの内側から見た分解斜視図である。
【図１Ｄ】本考案の実施例１を示す電子式扉覗き穴ビューアの外側から見た分解斜視図である。
【図２Ａ】本考案の実施例１を示す電子式扉覗き穴ビューアの内側から見た斜視図である。
【図２Ｂ】本考案の実施例１を示す電子式扉覗き穴ビューアの外側から見た斜視図である。
【図２Ｃ】本考案の実施例１を示す電子式扉覗き穴ビューアの外側から見た一部破断斜視図である。
【図３】本考案の実施例１を示す電子式扉覗き穴ビューアの扉または壁に取り付けた状態における斜視図である。
【図４】本考案の実施例１を示す電子式扉覗き穴ビューアの扉または壁に取り付けた状態における断面図である。
【図５Ａ】本考案の実施例２を示す電子式扉覗き穴ビューア及び扉の外側から見た分解斜視図である。
【図５Ｂ】本考案の実施例２を示す電子式扉覗き穴ビューア及び扉の内側から見た分解斜視図である。
【図５Ｃ】本考案の実施例２に係るカメラ固定部材の斜視図である。
【図５Ｄ】本考案の実施例２に係るカメラ固定部材の分解斜視図である。
【図６】本考案の実施例２を示す電子式扉覗き穴ビューアの扉または壁に取り付けた状態における断面図である。
【考案を実施するための形態】
【００１８】
本考案の電子式扉覗き穴ビューアに関し、以下に実施例を挙げて図面に基づき詳細に説明するが、本考案の権利範囲は以下の実施例に限定されない。
【実施例１】
【００１９】
図１Ａ、図１Ｂ、図１Ｃ、図１Ｄは、実施例１の電子式扉覗き穴ビューア（Ｅｌｅｃｔｒｏｎｉｃ  Ｖｉｅｗｅｒ  ｆｏｒ  Ｐｅｅｐｈｏｌｅ）１００の分解斜視図である。
電子式扉覗き穴ビューア１００は、ハウジング（ｅｎｃｌｏｓｕｒｅ  ｏｒ  ｈｏｕｓｉｎｇ）１１０、主回路板（ｍａｉｎ  ｃｉｒｃｕｉｔ  ｂｏａｒｄ）１２０、フラットパネルディスプレイユニット（ｆｌａｔ  ｐａｎｅｌ  ｄｉｓｐｌａｙ  ｕｎｉｔ）１２１、イメージキャプチャユニット（ｉｍａｇｅ  ｃａｐｔｕｒｅ  ｕｎｉｔ）１２２、回路板（ｃｉｒｃｕｉｔ  ｂｏａｒｄ）１２３、照度センサー(Ａｍｂｉｅｎｔ  Ｌｉｇｈｔ  Ｓｅｎｓｏｒ)１２４を含む。
【００２０】
フラットパネルディスプレイユニット１２１は主回路板１２０に電気的に接続され、主回路板１２０上に固定される。
イメージキャプチャユニット１２２は主回路板１２０に接続され、主回路板１２０上に固定される。
照度センサー１２４は別の回路板１２３上に設置され、かつ回路板１２３に電気的に接続される。
回路板１２３は主回路板１２０に固定され、主回路板１２０に電気的に接続される。
【００２１】
ハウジング１１０は、ハウジング前面カバー（ｆｒｏｎｔ  ｃｏｖｅｒ  ｍｅｍｂｅｒ  ｏｆ  ｈｏｕｓｉｎｇ）１１１、ハウジング背面カバー（ｒｅａｒ  ｃｏｖｅｒ  ｍｅｍｂｅｒ  ｏｆ  ｈｏｕｓｉｎｇ）１１２、蓋板（ｌｉｄ）１１５を含む。
ハウジング前面カバー１１１とハウジング背面カバー１１２はハウジング１１０を組成するために用いられる。ハウジング前面カバー１１１とハウジング背面カバー１１２の内部には内部空間（ｃｈａｍｂｅｒ）が形成され、主回路板１２０、フラットパネルディスプレイユニット１２１、イメージキャプチャユニット１２２、照度センサー１２４、回路板１２３がこの内部空間内に設置され、かつ、ねじ（ｓｃｒｅｗｓ）で主回路板１２０がハウジング前面カバー１１１の固定部材（ｆｉｘｉｎｇ  ｐｏｒｔｉｏｎｓ）上またはハウジング背面カバー１１２の固定部材（ｆｉｘｉｎｇ  ｐｏｒｔｉｏｎｓ）上に固定される。
ハウジング背面カバー１１２には開口（ｏｐｅｎｉｎｇ）１１３が形成され、フラットパネルディスプレイユニット１２１が開口１１３に嵌入されるため、使用者はフラットパネルディスプレイユニット１２１が表示するイメージを見ることができる。
ハウジング前面カバー１１１は、凸部（ｔｅｎｏｎｓ）を備えた円柱状固定部材１１８を有し、円柱状固定部材１１８上に円形孔（ｈｏｌｅ）１１４が形成され、円形孔（ｈｏｌｅ）１１４を介して光線をハウジング前面カバー１１１とハウジング背面カバー１１２内に進入させ、イメージキャプチャユニット１２２と照度センサー１２４に前記光線を検出させることができる。
【００２２】
蓋板１１５はコネクタ部材（ｃｏｎｎｅｃｔｏｒｓ）１１５ａ、１１５ｂ、１１５ｃを備え、コネクタ部材１１５ａ、１１５ｂ、１１５ｃを利用して蓋板１１５がハウジング前面カバー１１１の細長溝（ｌｏｎｇｉｔｕｄｉｎａｌ  ｓｌｏｔｓ）に固定される。
コネクタ部材１１５ｃは、可動式固定部材であり、塑性材質で形成され、コネクタ部材１１５ｃのスイッチを押圧して塑性材質の弾性を利用することで、コネクタ部材１１５ｃをハウジング前面カバー１１１の細長溝から容易に離脱させることができる。このため、蓋板１１５をハウジング前面カバー１１１から容易に離脱させることができ、使用者が電池１１７の取り付けや電池１１７の交換を簡単に行うことができる。
【００２３】
電子式扉覗き穴ビューア１００を扉２００上に固定するために、電子式扉覗き穴ビューア１００はさらに、扉覗き穴ビューア固定部材（ｅｌｅｃｔｒｏｎｉｃ  ｖｉｅｗｅｒ  ｈｏｌｄｅｒ）１３０、覗き穴固定部材（ｐｅｅｐｈｏｌｅ  ｈｏｌｄｅｒ）１４０、レンズ固定部材（ｌｅｎｓ  ｈｏｌｄｅｒ）１５０を含む。
レンズ固定部材１５０上にはレンズ（ｌｅｎｓ）１５２が固定される。レンズ固定部材（ｌｅｎｓ  ｈｏｌｄｅｒ）１５０の内面には円柱状部材（ｃｙｌｉｎｄｒｉｃａｌ  ｕｎｉｔ）１５１が設けられ、円柱状部材１５１とレンズ固定部材１５０が扉（ｄｏｏｒ）２００の外側（ｅｘｔｅｒｉｏｒ  ｓｉｄｅ）または壁（ｗａｌｌ）の外側（ｅｘｔｅｒｉｏｒ  ｓｉｄｅ）に嵌置され、レンズ１５２が扉２００の外側または壁の外側の光線を集中させることができる。円柱状部材１５１は扉２００または壁上の外側孔部（ｂｏｒｅ）２１０に嵌入され、円柱状部材１５１とレンズ固定部材１５０が一般的な扉覗き穴ビューア（ｄｏｏｒ  ｖｉｅｗｅｒ）と同じように扉２００の外側において外側孔部（ｂｏｒｅ）２１０に嵌置される。
【００２４】
円柱状部材１５１は、その外周面に雄ねじ山（ｍａｌｅ  ｓｃｒｅｗ  ｔｈｒｅａｄｓ）を備えることができる。また、覗き穴固定部材１４０を利用して扉覗き穴ビューア固定部材１３０を扉（ｄｏｏｒ）２００の内側（ｉｎｔｅｒｉｏｒ  ｓｉｄｅ）または壁（ｗａｌｌ）の内側（ｉｎｔｅｒｉｏｒ  ｓｉｄｅ）に固定する。覗き穴固定部材１４０は中空管状物（ｔｕｂｕｌａｒ  ｉｎ  ｓｈａｐｅ）であり、その内周面に円柱状部材１５１の雄ねじ山（ｍａｌｅ  ｓｃｒｅｗ  ｔｈｒｅａｄｓ）と螺合させるために用いる雌ねじ山（ｆｅｍａｌｅ  ｓｃｒｅｗ  ｔｈｒｅａｄｓ）を備え、扉覗き穴ビューア固定部材１３０を扉２００の内側または壁の内側に固定するために用いられる。このため、覗き穴固定部材１４０、扉覗き穴ビューア固定部材１３０、レンズ固定部材１５０が壁上または扉上に固定されると、覗き穴固定部材１４０によって円柱状部材１５１が部分的に被覆（ｃｏｖｅｒ）される。
【００２５】
蓋板１１５は円形開口１１６を備え、蓋板１１５をハウジング前面カバー１１１に組み込むとき、ハウジング前面カバー１１１の凸部（ｔｅｎｏｎｓ）を備えた円柱状固定部材１１８と穴部（ｍｏｒｔｉｓｅｓ）を備えた扉覗き穴ビューア固定部材１３０を相互に結合させることができる。扉覗き穴ビューア固定部材１３０は覗き穴固定部材１４０とレンズ固定部材１５０により壁上または扉２００上に固定されているため、ハウジング前面カバー１１１の凸部（ｔｅｎｏｎｓ）を備えた円柱状固定部材１１８と穴部（ｍｏｒｔｉｓｅｓ）を備えた扉覗き穴ビューア固定部材１３０の相互結合を利用して、ハウジング（ｅｎｃｌｏｓｕｒｅ  ｏｒ  ｈｏｕｓｉｎｇ）１１０を壁上または扉２００上に固定することができる。
【００２６】
扉覗き穴ビューア固定部材１３０が孔部１３１を備え、覗き穴固定部材１４０が中空管状物であり、扉２００または壁が外側孔部２１０を備え、円柱状部材１５１が中空管状物であるため、レンズ１５２は扉２００の外側または壁の外側の光線を集中させて、ハウジング１１０内部のイメージキャプチャユニット１２２及び照度センサー１２４に到達させることができる。
【００２７】
図２Ａ、図２Ｂ、図２Ｃは、実施例１の電子式扉覗き穴ビューア（Ｅｌｅｃｔｒｏｎｉｃ  Ｖｉｅｗｅｒ  ｆｏｒ  Ｐｅｅｐｈｏｌｅ）の組み立てた状態における斜視図である。図３は、実施例１の電子式扉覗き穴ビューアを扉２００または壁に取り付けた状態における斜視図である。図４は、実施例１の電子式扉覗き穴ビューアを扉２００または壁に取り付けた状態における断面図である。
【００２８】
イメージキャプチャユニット１２２は標的物（ｓｕｂｊｅｃｔ）のイメージ（ｉｍａｇｅ）を撮影するために用いられる。また、イメージキャプチャユニット１２２は電荷結合素子（Ｃｈａｒｇｅ  Ｃｏｕｐｌｅｄ  ｄｅｖｉｃｅ、ＣＣＤ）センサーまたは相補性金属酸化膜半導体（Ｃｏｍｐｌｅｍｅｎｔａｒｙ  Ｍｅｔａｌ−Ｏｘｉｄｅ  Ｓｅｍｉｃｏｎｄｕｃｔｏｒ、ＣＭＯＳ）センサーとすることができる。
【００２９】
実施例１においては、電池１１７を利用して電気をイメージキャプチャユニット１２２、主回路板１２０、回路板１２３に供給する。イメージキャプチャユニット１２２を利用して扉２００の外または壁の外の動態または静態イメージ（ｉｍａｇｅ）を撮影することができる。主回路板１２０は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含む。前記特定用途向け集積回路はイメージキャプチャユニット１２２を制御して扉２００の外または壁の外の静態イメージまたは動態イメージを撮影させるために用いられ、前記静態イメージまたは前記動態イメージはインターフェースを介して前記静態イメージまたは前記動態イメージをメモリユニットに保存したり、前記静態イメージまたは前記動態イメージを直接フラットパネルディスプレイユニット１２１に表示したりすることができる。前記メモリユニットは、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、コンパクトフラッシュカード（Ｃｏｍｐａｃｔ  Ｆｌａｓｈ  Ｃａｒｄ、ＣＦ  ｃａｒｄ）のいずれかである。フラットパネルディスプレイユニット１２１は液晶ディスプレイモニター（Ｌｉｑｕｉｄ  Ｃｒｙｓｔａｌ  Ｄｉｓｐｌａｙ  Ｍｏｎｉｔｏｒ、ＬＣＤ  ｍｏｎｉｔｏｒ）、発光ダイオードをバックライトとして利用する液晶ディスプレイモニター（Ｌｉｇｈｔ  Ｅｍｉｔｔｉｎｇ  Ｄｉｏｄｅ  Ｍｏｎｉｔｏｒ、ＬＥＤ  ｍｏｎｉｔｏｒ）、タッチ制御ディスプレイモニターまたは任意のタイプのフラットパネルディスプレイモニターとすることができる。実施例１において、電子式扉覗き穴ビューア１００はイメージキャプチャユニット１２２を利用して撮影したイメージを直ちに同期して直接フラットパネルディスプレイユニット１２１に表示することができる。
【００３０】
実施例１において、照度センサー１２４を利用して環境光源の変化を検出し、環境光源が変化したときは、環境光源の変化状況に基づいて自動的に電子式扉覗き穴ビューア１００を作動させ、前記特定用途向け集積回路によりイメージキャプチャユニット１２２を制御して扉２００の外または壁の外の静態イメージまたは動態イメージを撮影させ、かつ静態イメージまたは動態イメージをフラットパネルディスプレイユニット１２１上に表示させることができる。同時に、環境光源の変化に基づき前記フラットパネルディスプレイユニット１２１のバックライト輝度を調整し、隨時フラットパネルディスプレイユニット１２１に最適な輝度を保持させ、フラットパネルディスプレイユニット１２１の消費電力量を抑えることができる。電子式扉覗き穴ビューア１００が環境光源の変化に基づいて作動された後に一定時間が経過すると、電子式扉覗き穴ビューア１００は自動的にスリープ状態に入り、フラットパネルディスプレイユニット１２１の表示をオフにして、フラットパネルディスプレイユニット１２１の消費電力量を抑えることができる。前記一定時間は任意に設定することができ、１秒間から２４時間の任意の時間間隔とすることができる。
【００３１】
このほか、電子式扉覗き穴ビューア１００はインターバル撮影動画自動生成機能も備えている。即ち、使用者が電子式扉覗き穴ビューア１００を設定し、環境光源の変化に基づいて自動的に電子式扉覗き穴ビューア１００を作動させ、前記特定用途向け集積回路によりイメージキャプチャユニット１２２を制御して特定の時間間隔（ｔｉｍｅ  ｉｎｔｅｒｖａｌ）が経過するごとに扉２００の外または壁の外の静態イメージを撮影させ、かつ静態イメージをフラットパネルディスプレイユニット１２１上に表示させることができる。かつ一連の前記静態イメージ（ｓｔｉｌｌ  ｉｍａｇｅｓ）をメモリインターフェース経由でメモリ内（図示しない）に保存する。前記特定用途向け集積回路が前記メモリに保存された一連の前記デジタル静態イメージ（ｓｔｉｌｌ  ｉｍａｇｅｓ）を自動的に組み合わせてインターバル撮影動画（Ｔｉｍｅ−ｌａｐｓｅ  Ｖｉｄｅｏ）を生成し、かつ前記インターバル撮影動画（Ｔｉｍｅ−ｌａｐｓｅ  Ｖｉｄｅｏ）を前記メモリ内に保存する。電子式扉覗き穴ビューア１００がインターバル撮影動画を自動的に生成する時間間隔（ｔｉｍｅ  ｉｎｔｅｒｖａｌ）は任意に設定することができ、１秒間から２４時間の任意の時間間隔とすることができる。
【００３２】
電子式扉覗き穴ビューア１００がイメージを保存する方式は上述の方式に限定されず、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ  ｃａｒｄ）インターフェースを利用することもでき、前記静態イメージ（ｓｔｉｌｌ  ｉｍａｇｅｓ）を前記ＳＤメモリカード（図示しない）内に保存することができる。前記特定用途向け集積回路は自動的に前記ＳＤメモリカードに保存された一連の前記静態イメージを組み合わせてインターバル撮影動画を生成し、前記インターバル撮影動画を前記ＳＤメモリカード内に保存する。
【００３３】
このほか、照度センサー１２４が環境光源の変化を検出して電子式扉覗き穴ビューア１００が作動されたとき、同時に有線または無線伝送方式を利用して、フラットパネルディスプレイユニット１２１上に表示された静態イメージまたは動態イメージをリモートの別のディスプレイを備えた電子装置上に伝送することができる。前記電子装置は、携帯電話、スマートフォン、ノートパソコン、タブレット、デジタルフォトフレーム、監視装置モニター等とすることができる。またはネットワーク伝送或いは各種無線通信伝送方式で、フラットパネルディスプレイユニット１２１上に表示された静態イメージまたは動態イメージをファイルまたは電子メール等の形式で別の受信装置に伝送し、保存することができる。
【実施例２】
【００３４】
図５Ａ、図５Ｂ、図５Ｃ、図５Ｄは、実施例２の電子式扉覗き穴ビューア（Ｅｌｅｃｔｒｏｎｉｃ  Ｄｏｏｒ  Ｖｉｅｗｅｒ）３００の分解斜視図である。
電子式扉覗き穴ビューア３００の主要な機械構造と電子回路構造は前述の実施例１と同じであり、主な違いは、実施例１では、イメージキャプチャユニット（ｉｍａｇｅ  ｃａｐｔｕｒｅ  ｕｎｉｔ）１２２、回路板（ｃｉｒｃｕｉｔ  ｂｏａｒｄ）１２３、照度センサー(Ａｍｂｉｅｎｔ  Ｌｉｇｈｔ  Ｓｅｎｓｏｒ)１２４がハウジング（ｅｎｃｌｏｓｕｒｅ  ｏｒ  ｈｏｕｓｉｎｇ）１１０の内部に配置されているのに対し、実施例２では、イメージキャプチャユニット（ｉｍａｇｅ  ｃａｐｔｕｒｅ  ｕｎｉｔ）３５２、回路板（ｃｉｒｃｕｉｔ  ｂｏａｒｄ）３５３、照度センサー(Ａｍｂｉｅｎｔ  Ｌｉｇｈｔ  Ｓｅｎｓｏｒ)３５４は、実施例１のレンズ固定部材（ｌｅｎｓ  ｈｏｌｄｅｒ）１５０に代替するカメラ固定部材（ｃａｍｅｒａ  ｈｏｌｄｅｒ）３５０に設置されていることである。
【００３５】
電子式扉覗き穴ビューア３００は、ハウジング（ｅｎｃｌｏｓｕｒｅ  ｏｒ  ｈｏｕｓｉｎｇ）３１０、主回路板（ｍａｉｎ  ｃｉｒｃｕｉｔ  ｂｏａｒｄ）３２０、フラットパネルディスプレイユニット（ｆｌａｔ  ｐａｎｅｌ  ｄｉｓｐｌａｙ  ｕｎｉｔ）３２１、カメラ固定部材３５０を含む。
フラットパネルディスプレイユニット３２１は主回路板３２０に電気的に接続され、前記主回路板３２０上に固定される。
【００３６】
カメラ固定部材３５０は、イメージキャプチャユニット（ｉｍａｇｅ  ｃａｐｔｕｒｅ  ｕｎｉｔ）３５２、回路板（ｃｉｒｃｕｉｔ  ｂｏａｒｄ）３５３、照度センサー(Ａｍｂｉｅｎｔ  Ｌｉｇｈｔ  Ｓｅｎｓｏｒ)３５４、レンズカバー（ｌｅｎｓ  ｃｏｖｅｒ）３５５、レンズ回路板（ｃａｍｅｒａ ｃｉｒｃｕｉｔ  ｂｏａｒｄ）３５６、ケーブル（ｃａｂｌｅ）３５７を含む。
イメージキャプチャユニット３５２はレンズ回路板３５６に接続され、レンズ回路板３５６上に固定される。
照度センサー３５４は別の回路板３５３上に設置され、かつレンズ回路板３５６に電気的に接続される。
回路板３５３はレンズ回路板３５６に固定され、かつケーブル３５７を介して主回路板３２０に電気的に接続される。
【００３７】
ハウジング（ｅｎｃｌｏｓｕｒｅ  ｏｒ  ｈｏｕｓｉｎｇ）３１０は、ハウジング前面カバー（ｆｒｏｎｔ  ｃｏｖｅｒ  ｍｅｍｂｅｒ  ｏｆ  ｈｏｕｓｉｎｇ）３１１、ハウジング背面カバー（ｒｅａｒ  ｃｏｖｅｒ  ｍｅｍｂｅｒ  ｏｆ  ｈｏｕｓｉｎｇ）３１２、蓋板（ｌｉｄ）３１５を含む。
ハウジング前面カバー３１１とハウジング背面カバー３１２はハウジング３１０を組成するために用いられる。ハウジング前面カバー３１１とハウジング背面カバー３１２の内部には内部空間（ｃｈａｍｂｅｒ）が形成され、主回路板３２０、フラットパネルディスプレイユニット３２１が内部空間内に設置され、かつねじ（ｓｃｒｅｗｓ）により主回路板３２０がハウジング前面カバー３１１の固定部材（ｆｉｘｉｎｇ ｐｏｒｔｉｏｎｓ）上またはハウジング背面カバー３１２の固定部材（ｆｉｘｉｎｇ ｐｏｒｔｉｏｎｓ）上に固定される。ハウジング背面カバー３１２には開口（ｏｐｅｎｉｎｇ）が形成され、フラットパネルディスプレイユニット３２１が開口に嵌入されるため、使用者はフラットパネルディスプレイユニット３２１が表示するイメージを見ることができる。
ハウジング前面カバー３１１は凸部（ｔｅｎｏｎｓ）を備えた円柱状固定部材３１８を有する。円柱状固定部材３１８には円形孔（ｈｏｌｅ）が形成され、円形孔（ｈｏｌｅ）を介してケーブル３５７をハウジング前面カバー３１１とハウジング背面カバー３１２内に進入させ、イメージキャプチャユニット３５２が撮影した静態イメージまたは動態イメージ及び照度センサー３５４が検出した前記光線の変化信号をケーブル３５７により主回路板３２０に送ることができる。主回路板３２０はケーブル３５７を介して制御信号をイメージキャプチャユニット３５２及び照度センサー３５４に送ることもできる。
【００３８】
蓋板３１５はコネクタ部材（ｃｏｎｎｅｃｔｏｒｓ）を備え、前記コネクタ部材を利用して蓋板３１５がハウジング前面カバー３１１の細長溝（ｌｏｎｇｉｔｕｄｉｎａｌ  ｓｌｏｔｓ）（図示しない）に固定される。蓋板３１５の前記コネクタ部材は、可動式固定部材であり、塑性材質で形成され、コネクタ部材のスイッチを押圧して塑性材質の弾性を利用することで、前記コネクタ部材をハウジング前面カバー３１１の細長溝から容易に離脱させることができる。このため、蓋板３１５をハウジング前面カバー３１１から容易に離脱させることができ、使用者が電池の取り付けや電池の交換を簡単に行うことができる。
【００３９】
電子式扉覗き穴ビューア３００を扉４００上に固定するために、電子式扉覗き穴ビューア３００はさらに、扉覗き穴ビューア固定部材（ｅｌｅｃｔｒｏｎｉｃ  ｖｉｅｗｅｒ  ｈｏｌｄｅｒ）３３０、覗き穴固定部材（ｐｅｅｐｈｏｌｅ  ｈｏｌｄｅｒ）３４０、前記カメラ固定部材（ｃａｍｅｒａ  ｈｏｌｄｅｒ）３５０を含む。
カメラ固定部材３５０は、イメージキャプチャユニット３５２、回路板３５３、照度センサー、前記レンズカバー３５５、レンズ回路板３５６をカメラ固定部材３５０上に固定するために用いられる。カメラ固定部材３５０の内面には円柱状部材（ｃｙｌｉｎｄｒｉｃａｌ  ｕｎｉｔ）３５１が設けられ、円柱状部材３５１とカメラ固定部材３５０が扉（ｄｏｏｒ）４００の外側（ｅｘｔｅｒｉｏｒ  ｓｉｄｅ）または壁（ｗａｌｌ）の外側（ｅｘｔｅｒｉｏｒ  ｓｉｄｅ）に嵌置され、レンズカバー３５５が扉４００の外側または壁の外側の光線をカメラ固定部材３５０内部のイメージキャプチャユニット３５２及び照度センサー３５４に集中させることができる。
【００４０】
円柱状部材３５１は扉４００または壁上の外側孔部（ｂｏｒｅ）４１０に嵌入され、円柱状部材３５１とカメラ固定部材３５０が一般的な扉覗き穴ビューア（ｄｏｏｒ  ｖｉｅｗｅｒ）と同じように扉４００の外側において外側孔部（ｂｏｒｅ）４１０に嵌置される。
円柱状部材３５１はその外周面に雄ねじ山（ｍａｌｅ  ｓｃｒｅｗ  ｔｈｒｅａｄｓ）を備えることができる。覗き穴固定部材３４０を利用して扉覗き穴ビューア固定部材３３０を扉（ｄｏｏｒ）４００の内側（ｉｎｔｅｒｉｏｒ  ｓｉｄｅ）または壁（ｗａｌｌ）の内側（ｉｎｔｅｒｉｏｒ  ｓｉｄｅ）に固定する。覗き穴固定部材３４０は中空管状物（ｔｕｂｕｌａｒ  ｉｎ  ｓｈａｐｅ）であり、その内周面に円柱状部材３５１の雄ねじ山（ｍａｌｅ  ｓｃｒｅｗ  ｔｈｒｅａｄｓ）と螺合させるために用いる雌ねじ山（ｆｅｍａｌｅ  ｓｃｒｅｗ  ｔｈｒｅａｄｓ）を備え、扉覗き穴ビューア固定部材３３０を扉４００の内側または壁の内側に固定するために用いられる。このため、覗き穴固定部材３４０、扉覗き穴ビューア固定部材３３０及びカメラ固定部材３５０が壁上または扉４００上に固定されると、覗き穴固定部材３４０によって円柱状部材３５１が部分的に被覆（ｃｏｖｅｒ）される。
【００４１】
蓋板３１５は円形開口を備え、蓋板３１５をハウジング前面カバー３１１に組み込むとき、ハウジング前面カバー３１１の凸部（ｔｅｎｏｎｓ）を備えた円柱状固定部材３１８と穴部（ｍｏｒｔｉｓｅｓ）を備えた扉覗き穴ビューア固定部材３３０を相互に結合させることができる。扉覗き穴ビューア固定部材３３０は覗き穴固定部材３４０とカメラ固定部材３５０により壁上または扉４００上に固定されているため、ハウジング前面カバー３１１の凸部（ｔｅｎｏｎｓ）を備えた円柱状固定部材３１８と穴部（ｍｏｒｔｉｓｅｓ）を備えた扉覗き穴ビューア固定部材３３０の相互結合を利用して、ハウジング（ｅｎｃｌｏｓｕｒｅ  ｏｒ  ｈｏｕｓｉｎｇ）３１０を壁上または扉４００上に固定することができる。
【００４２】
扉覗き穴ビューア固定部材３３０上には孔部３３１が設けられ、覗き穴固定部材３４０は中空管状物であり、扉４００または壁には外側孔部４１０があり、円柱状部材３５１は中空管状物であるため、ケーブル（ｃａｂｌｅ）３５７をハウジング前面カバー３１１とハウジング背面カバー３１２内に進入させ、イメージキャプチャユニット３５２が撮影した静態イメージまたは動態イメージ及び照度センサー３５４が検出した前記光線変化信号をケーブル３５７により主回路板３２０に送ることができる。主回路板３２０はケーブル３５７により制御信号をイメージキャプチャユニット３５２及び照度センサー３５４に送ることもできる。
【００４３】
図６は、実施例２の電子式扉覗き穴ビューア（Ｅｌｅｃｔｒｏｎｉｃ  Ｖｉｅｗｅｒ  ｆｏｒ  Ｐｅｅｐｈｏｌｅ）を扉４００または壁に取り付けた状態における断面図である。
【００４４】
イメージキャプチャユニット３５２は標的物（ｓｕｂｊｅｃｔ）のイメージ（ｉｍａｇｅ）を撮影するために用いられる。イメージキャプチャユニット３５２は電荷結合素子（Ｃｈａｒｇｅ  Ｃｏｕｐｌｅｄ  ｄｅｖｉｃｅ、ＣＣＤ）センサーまたは相補性金属酸化膜半導体（Ｃｏｍｐｌｅｍｅｎｔａｒｙ  Ｍｅｔａｌ−Ｏｘｉｄｅ  Ｓｅｍｉｃｏｎｄｕｃｔｏｒ、ＣＭＯＳ）センサーとすることができる。
実施例２においては、電池を利用して電気をイメージキャプチャユニット３５２、主回路板（ｍａｉｎ  ｃｉｒｃｕｉｔ  ｂｏａｒｄ）３２０、レンズ回路板３５６、回路板３５３に供給する。イメージキャプチャユニット３５２を利用して扉４００の外または壁の外の動態または静態イメージ（ｉｍａｇｅ）を撮影することができる。主回路板３２０は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含み、前記特定用途向け集積回路はイメージキャプチャユニット３５２を制御して扉４００の外または壁の外の静態イメージまたは動態イメージを撮影させるために用いられ、前記静態イメージまたは前記動態イメージはインターフェースを介して前記静態イメージまたは前記動態イメージをメモリユニットに保存したり、前記静態イメージまたは前記動態イメージを直接フラットパネルディスプレイユニット３２１に表示したりすることができる。メモリユニットは、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、コンパクトフラッシュカード（Ｃｏｍｐａｃｔ  Ｆｌａｓｈ  Ｃａｒｄ、ＣＦ  ｃａｒｄ）のいずれかである。フラットパネルディスプレイユニット３２１は液晶ディスプレイモニター（Ｌｉｑｕｉｄ  Ｃｒｙｓｔａｌ  Ｄｉｓｐｌａｙ  Ｍｏｎｉｔｏｒ、ＬＣＤ  ｍｏｎｉｔｏｒ）、発光ダイオードをバックライトとして利用する液晶ディスプレイモニター（Ｌｉｇｈｔ  Ｅｍｉｔｔｉｎｇ  Ｄｉｏｄｅ  Ｍｏｎｉｔｏｒ、ＬＥＤ  ｍｏｎｉｔｏｒ）、タッチ制御ディスプレイモニターまたは任意のタイプのフラットパネルディスプレイモニターとすることができる。実施例２において、電子式扉覗き穴ビューア３００はイメージキャプチャユニット３５２を利用して撮影したイメージを直ちに同期して直接フラットパネルディスプレイユニット３２１に表示することができる。
【００４５】
実施例２において、照度センサー３５４を利用して環境光源の変化状況に基づいて自動的に前記電子式扉覗き穴ビューア３００を作動させ、前記特定用途向け集積回路によりイメージキャプチャユニット３５２を制御して扉４００の外または壁の外の静態イメージまたは動態イメージを撮影させ、かつ静態イメージまたは動態イメージをフラットパネルディスプレイユニット３２１上に表示させることができる。同時に、環境光源の変化に基づきフラットパネルディスプレイユニット３２１のバックライト輝度を調整し、隨時フラットパネルディスプレイユニット３２１に最適な輝度を保持させ、フラットパネルディスプレイユニット３２１の消費電力量を抑えることができる。電子式扉覗き穴ビューア３００が環境光源の変化に基づいて作動された後に一定時間が経過すると、電子式扉覗き穴ビューア３００は自動的にスリープ状態に入り、フラットパネルディスプレイユニット３２１の表示をオフにして、フラットパネルディスプレイユニット３２１の消費電力量を抑えることができる。前記一定時間は任意に設定することができ、１秒間から２４時間の任意の時間間隔とすることができる。
【００４６】
電子式扉覗き穴ビューア３００はインターバル撮影動画自動生成機能も備えている。即ち、使用者が電子式扉覗き穴ビューア３００を設定し、環境光源の変化に基づいて自動的に電子式扉覗き穴ビューア３００を作動させ、前記特定用途向け集積回路によりイメージキャプチャユニット３５２を制御して特定の時間間隔（ｔｉｍｅ  ｉｎｔｅｒｖａｌ）が経過するごとに扉４００の外または壁の外の静態イメージを撮影させ、かつ静態イメージをフラットパネルディスプレイユニット３２１上に表示させることができる。かつ一連の前記静態イメージ（ｓｔｉｌｌ  ｉｍａｇｅｓ）をメモリインターフェース経由でメモリ内（図示しない）に保存する。前記特定用途向け集積回路が前記メモリに保存された一連の前記デジタル静態イメージ（ｓｔｉｌｌ  ｉｍａｇｅｓ）を自動的に組み合わせてインターバル撮影動画（Ｔｉｍｅ−ｌａｐｓｅ  Ｖｉｄｅｏ）を生成し、かつ前記インターバル撮影動画（Ｔｉｍｅ−ｌａｐｓｅ  Ｖｉｄｅｏ）を前記メモリ内に保存する。電子式扉覗き穴ビューア３００がインターバル撮影動画を自動的に生成する時間間隔（ｔｉｍｅ  ｉｎｔｅｒｖａｌ）は任意に設定することができ、１秒間から２４時間の任意の時間間隔とすることができる。
【００４７】
電子式扉覗き穴ビューア３００がイメージを保存する方式は上述の方式に限定されず、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ  ｃａｒｄ）インターフェースを利用することもでき、前記静態イメージ（ｓｔｉｌｌ  ｉｍａｇｅｓ）を前記ＳＤメモリカード（図示しない）内に保存することができる。前記特定用途向け集積回路は自動的に前記ＳＤメモリカードに保存された一連の前記静態イメージを組み合わせてインターバル撮影動画を生成し、前記インターバル撮影動画を前記ＳＤメモリカード内に保存する。
【００４８】
照度センサー３５４が環境光源の変化を検出して電子式扉覗き穴ビューア３００が作動されたとき、同時に有線または無線伝送方式を利用して、フラットパネルディスプレイユニット３２１上に表示された静態イメージまたは動態イメージをリモートの別のディスプレイを備えた電子装置上に伝送することができる。前記電子装置は携帯電話、スマートフォン、ノートパソコン、タブレット、デジタルフォトフレーム、監視装置モニター等とすることができる。またはネットワーク伝送或いは各種無線通信伝送方式で、フラットパネルディスプレイユニット３２１上に表示された静態イメージまたは動態イメージをファイルまたは電子メール等の形式で別の受信装置に伝送し、保存することができる。
【００４９】
以上をまとめると、本考案の目的はすでに充分かつ効果的に開示されており、当業者が理解することが可能であろう。しかしながら本考案の権利範囲は上述の実施例に限定されない。本考案は当業者による変更や修飾が可能であるが、それらはすべて実用新案登録請求の範囲により保護される。
【符号の説明】
【００５０】
１００    電子式扉覗き穴ビューア
１１０    ハウジング（ｅｎｃｌｏｓｕｒｅ  ｏｒ  ｈｏｕｓｉｎｇ）
１１１    ハウジング前面カバー（ｆｒｏｎｔ  ｃｏｖｅｒ  ｍｅｍｂｅｒ  ｏｆ  ｈｏｕｓｉｎｇ）
１１２    ハウジング背面カバー（ｒｅａｒ  ｃｏｖｅｒ  ｍｅｍｂｅｒ  ｏｆ  ｈｏｕｓｉｎｇ）
１１３    開口
１１４    円形孔（ｈｏｌｅ）
１１５    蓋板（ｌｉｄ）
１１５ａ、１１５ｂ、１１５ｃ    コネクタ部材（ｃｏｎｎｅｃｔｏｒｓ）
１１６    円形開口
１１７    電池
１１８    円柱状固定部材
１２０    主回路板（ｍａｉｎ  ｃｉｒｃｕｉｔ  ｂｏａｒｄ）
１２１    フラットパネルディスプレイユニット（ｆｌａｔ  ｐａｎｅｌ  ｄｉｓｐｌａｙ  ｕｎｉｔ）
１２２    イメージキャプチャユニット（ｉｍａｇｅ  ｃａｐｔｕｒｅ  ｕｎｉｔ）
１２３    回路板（ｃｉｒｃｕｉｔ  ｂｏａｒｄ）
１２４    照度センサー(Ａｍｂｉｅｎｔ  Ｌｉｇｈｔ  Ｓｅｎｓｏｒ)
１３０    扉覗き穴ビューア固定部材（ｅｌｅｃｔｒｏｎｉｃ  ｖｉｅｗｅｒ  ｈｏｌｄｅｒ）
１４０    覗き穴固定部材（ｐｅｅｐｈｏｌｅ  ｈｏｌｄｅｒ）
１５０    レンズ固定部材（ｌｅｎｓ  ｈｏｌｄｅｒ）
１５１    円柱状部材（ｃｙｌｉｎｄｒｉｃａｌ  ｕｎｉｔ）
１５２    レンズ（ｌｅｎｓ）
２００    扉
２１０    外側孔部（ｂｏｒｅ）
３００    電子式扉覗き穴ビューア
３１０    ハウジング（ｅｎｃｌｏｓｕｒｅ  ｏｒ  ｈｏｕｓｉｎｇ）
３１１    ハウジング前面カバー（ｆｒｏｎｔ  ｃｏｖｅｒ  ｍｅｍｂｅｒ  ｏｆ  ｈｏｕｓｉｎｇ）
３１２    ハウジング背面カバー（ｒｅａｒ  ｃｏｖｅｒ  ｍｅｍｂｅｒ  ｏｆ  ｈｏｕｓｉｎｇ）
３１５    蓋板（ｌｉｄ）
３１８    円柱状固定部材
３２０    主回路板（ｍａｉｎ ｃｉｒｃｕｉｔ  ｂｏａｒｄ）
３２１    フラットパネルディスプレイユニット（ｆｌａｔ  ｐａｎｅｌ  ｄｉｓｐｌａｙ  ｕｎｉｔ）
３３０    扉覗き穴ビューア固定部材（ｅｌｅｃｔｒｏｎｉｃ  ｖｉｅｗｅｒ  ｈｏｌｄｅｒ）
３４０    覗き穴固定部材（ｐｅｅｐｈｏｌｅ  ｈｏｌｄｅｒ）
３５０    カメラ固定部材（ｃａｍｅｒａ  ｈｏｌｄｅｒ）
３５１    円柱状部材（ｃｙｌｉｎｄｒｉｃａｌ  ｕｎｉｔ）
３５２    イメージキャプチャユニット（ｉｍａｇｅ  ｃａｐｔｕｒｅ  ｕｎｉｔ）
３５３    回路板（ｃｉｒｃｕｉｔ  ｂｏａｒｄ）
３５４    照度センサー(Ａｍｂｉｅｎｔ  Ｌｉｇｈｔ  Ｓｅｎｓｏｒ)
３５５    レンズカバー（ｌｅｎｓ  ｃｏｖｅｒ）
３５６    レンズ回路板（ｃａｍｅｒａ ｃｉｒｃｕｉｔ  ｂｏａｒｄ）
３５７    ケーブル（ｃａｂｌｅ）
４００    扉
４１０    外側孔部（ｂｏｒｅ）
【図１Ａ】
0003190742.tif 000003
【図１Ｂ】
0003190742.tif 000004
【図１Ｃ】
0003190742.tif 000005
【図１Ｄ】
0003190742.tif 000006
【図２Ａ】
0003190742.tif 000007
【図２Ｂ】
0003190742.tif 000008
【図２Ｃ】
0003190742.tif 000009
【図３】
0003190742.tif 000010
【図４】
0003190742.tif 000011
【図５Ａ】
0003190742.tif 000012
【図５Ｂ】
0003190742.tif 000013
【図５Ｃ】
0003190742.tif 000014
【図５Ｄ】
0003190742.tif 000015
【図６】
0003190742.tif 000016
【手続補正書】
【提出日】平成26年3月14日(2014.3.14)
【手続補正１】
【補正対象書類名】明細書
【補正対象項目名】００２９
【補正方法】変更
【補正の内容】
【００２９】
実施例１においては、電池１１７を利用して電気をイメージキャプチャユニット１２２、主回路板１２０、回路板１２３に供給する。イメージキャプチャユニット１２２を利用して扉２００の外または壁の外の動態または静態イメージ（ｉｍａｇｅ）を撮影することができる。主回路板１２０は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含む。前記特定用途向け集積回路はイメージキャプチャユニット１２２を制御して扉２００の外または壁の外の静態イメージまたは動態イメージを撮影させるために用いられ、前記静態イメージまたは前記動態イメージはインターフェースを介して前記静態イメージまたは前記動態イメージをメモリユニットに保存したり、前記静態イメージまたは前記動態イメージを直接フラットパネルディスプレイユニット１２１に表示したりすることができる。前記メモリユニットは、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、ＣＦカード（ＣＦ  Ｃａｒｄ）のいずれかである。フラットパネルディスプレイユニット１２１は液晶ディスプレイモニター（Ｌｉｑｕｉｄ  Ｃｒｙｓｔａｌ  Ｄｉｓｐｌａｙ  Ｍｏｎｉｔｏｒ、ＬＣＤ  ｍｏｎｉｔｏｒ）、発光ダイオードをバックライトとして利用する液晶ディスプレイモニター（Ｌｉｇｈｔ  Ｅｍｉｔｔｉｎｇ  Ｄｉｏｄｅ  Ｍｏｎｉｔｏｒ、ＬＥＤ  ｍｏｎｉｔｏｒ）、タッチ制御ディスプレイモニターまたは任意のタイプのフラットパネルディスプレイモニターとすることができる。実施例１において、電子式扉覗き穴ビューア１００はイメージキャプチャユニット１２２を利用して撮影したイメージを直ちに同期して直接フラットパネルディスプレイユニット１２１に表示することができる。
【手続補正２】
【補正対象書類名】明細書
【補正対象項目名】００４４
【補正方法】変更
【補正の内容】
【００４４】
イメージキャプチャユニット３５２は標的物（ｓｕｂｊｅｃｔ）のイメージ（ｉｍａｇｅ）を撮影するために用いられる。イメージキャプチャユニット３５２は電荷結合素子（Ｃｈａｒｇｅ  Ｃｏｕｐｌｅｄ  ｄｅｖｉｃｅ、ＣＣＤ）センサーまたは相補性金属酸化膜半導体（Ｃｏｍｐｌｅｍｅｎｔａｒｙ  Ｍｅｔａｌ−Ｏｘｉｄｅ  Ｓｅｍｉｃｏｎｄｕｃｔｏｒ、ＣＭＯＳ）センサーとすることができる。
実施例２においては、電池を利用して電気をイメージキャプチャユニット３５２、主回路板（ｍａｉｎ  ｃｉｒｃｕｉｔ  ｂｏａｒｄ）３２０、レンズ回路板３５６、回路板３５３に供給する。イメージキャプチャユニット３５２を利用して扉４００の外または壁の外の動態または静態イメージ（ｉｍａｇｅ）を撮影することができる。主回路板３２０は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含み、前記特定用途向け集積回路はイメージキャプチャユニット３５２を制御して扉４００の外または壁の外の静態イメージまたは動態イメージを撮影させるために用いられ、前記静態イメージまたは前記動態イメージはインターフェースを介して前記静態イメージまたは前記動態イメージをメモリユニットに保存したり、前記静態イメージまたは前記動態イメージを直接フラットパネルディスプレイユニット３２１に表示したりすることができる。メモリユニットは、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、ＣＦカード（ＣＦ  Ｃａｒｄ）のいずれかである。フラットパネルディスプレイユニット３２１は液晶ディスプレイモニター（Ｌｉｑｕｉｄ  Ｃｒｙｓｔａｌ  Ｄｉｓｐｌａｙ  Ｍｏｎｉｔｏｒ、ＬＣＤ  ｍｏｎｉｔｏｒ）、発光ダイオードをバックライトとして利用する液晶ディスプレイモニター（Ｌｉｇｈｔ  Ｅｍｉｔｔｉｎｇ  Ｄｉｏｄｅ  Ｍｏｎｉｔｏｒ、ＬＥＤ  ｍｏｎｉｔｏｒ）、タッチ制御ディスプレイモニターまたは任意のタイプのフラットパネルディスプレイモニターとすることができる。実施例２において、電子式扉覗き穴ビューア３００はイメージキャプチャユニット３５２を利用して撮影したイメージを直ちに同期して直接フラットパネルディスプレイユニット３２１に表示することができる。
【手続補正３】
【補正対象書類名】実用新案登録請求の範囲
【補正対象項目名】請求項４
【補正方法】変更
【補正の内容】
【請求項４】
前記メモリユニットが、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、ＣＦカード（ＣＦ  Ｃａｒｄ）のいずれかであることを特徴とする、請求項３に記載の電子式扉覗き穴ビューア。
【手続補正４】
【補正対象書類名】実用新案登録請求の範囲
【補正対象項目名】請求項１５
【補正方法】変更
【補正の内容】
【請求項１５】
前記メモリユニットが、ＳＤメモリカード（Ｓｅｃｕｒｅ  Ｄｉｇｉｔａｌ  Ｍｅｍｏｒｙ  Ｃａｒｄ、ＳＤ  ｍｅｍｏｒｙ ｃａｒｄ）、マルチメディアカードカード（Ｍｕｌｔｉｍｅｄｉａ  Ｃａｒｄ、ＭＭＣ）、ＸＤピクチャーカード（Ｅｘｔｒｅｍｅ  Ｄｉｇｉｔａｌ−Ｐｉｃｔｕｒｅ  Ｃａｒｄ）、ＣＦカード（ＣＦ  Ｃａｒｄ）のいずれかであることを特徴とする、請求項１４に記載の電子式扉覗き穴ビューア。